(57)【要約】【課題】導光板の光源側側面の端部に蛍光管の電極が配されても、光源の電極に近接する導光板の角部が暗くならず、導光板の上面全体における輝度の均一化を達成することができる照明装置、及びその照明装置を使用することにより狭額縁化を達成しつつも輝度が均一で表示品質の高い液晶表示装置を提案する。【解決手段】照明装置は、両端に電極１ａ，１ａを有する光源１と、四周側面のうち光源１が近接して配される光源側側２ａから光を入射し四角形状の上面２ｂから光を出射する導光板２とを備え、導光板２には、光源１の電極１ａ，１ａに近接する角部Ｘ，Ｘの所定領域を切欠いた切欠き部Ａ１，Ａ１が設けられている。【選択図】  図１
2005222698.tif 000002
【特許請求の範囲】
【請求項１】
両端に電極を有する光源と、四周側面のうち光源が近接して配される光源側側面から光を入射し四角形状の上面から光を出射する導光板とを備え、
導光板には、光源の電極に近接する角部の所定領域を切欠いた切欠き部が設けられていることを特徴とする照明装置。
【請求項２】
前記切欠き部は、光源側側面に垂直な面と光源側側面に平行な面とにより一つのＬ字形状に形成されていることを特徴とする請求項１記載の照明装置。
【請求項３】
前記切欠き部は、光源側側面に垂直な面と光源側側面に平行な面とが繰り返して隣り合うことにより階段状に形成されていることを特徴とする請求項１記載の照明装置。
【請求項４】
前記切欠き部は、光源側側面に垂直な面と、その面に対して４５度以下の角をなす面とが繰り返して隣り合うことにより複数の尖頭形状に形成されていることを特徴とする請求項１記載の照明装置。
【請求項５】
前記切欠き部を形成する各面には出光する光を散乱させる光散乱手段が設けられていることを特徴とする請求項１乃至請求項４記載の照明装置。
【請求項６】
前記請求項１乃至請求項５記載の照明装置と、その照明装置の照射面側に一対の基板の間に液晶が挟持された液晶表示パネルが配されていることを特徴とする液晶表示装置。
【発明の詳細な説明】
【０００１】
【発明の属する技術分野】
本発明は、両端に電極を有する光源と、四周側面のうち光源が近接して配される光源側側面から光を入射し四角形状の上面から光を出射する導光板とを備える照明装置及びその照明装置を用いた液晶表示装置に関する。
【０００２】
【従来の技術】
従来から、ラップトップやノートブックタイプのワードプロセッサ、或いはパーソナルコンピュータなどの情報機器用の表示装置において、軽量薄型、低消費電力などの特長を活かして液晶表示パネルに画像を表示する液晶表示装置が多用されている。最近では、液晶表示パネルの表示領域をその裏面から照明するための照明ユニットを内蔵したものが大半を占めるようになってきた。この照明ユニットは、ノートＰＣやモニター、モバイルＰＣなどの普及に伴って、光源を導光板の四周側面の一側面に配するエッジライトタイプが主流になっている。
【０００３】
図１４は従来のエッジライトタイプの照明装置ＵＴの斜視図であり、図１５はその断面図である。図１６は上記照明装置ＵＴを使用した液晶表示装置ＬＣＤである。このエッジライトタイプの照明装置ＵＴにおいては、例えば熱陰極管や冷陰極管などの蛍光管１と、蛍光管１に近接して配置され蛍光管１からの光を導光する導光板２と、導光板２の裏面に沿うように配され蛍光管１からの光を液晶表示パネルＰに向かって反射させる反射シート４と、蛍光管１を内包し蛍光管１からの光を導光板２に向かって反射させるリフレクタ（図１６中の符号５参照）と、導光板２の表面に配される拡散シートやプリズムシート等の光補正シート３を備え、 以上の部材は樹脂製や金属製の外枠等（図１６中の符号６参照）によって保持される構成となっている。
【０００４】
光源である蛍光管１は、円筒形状（棒形状）の冷陰極蛍光管や熱陰極蛍光管が用いられる。いずれの蛍光管１も、円筒形状（棒形状）の蛍光管１の両端に電極１ａが設けられており、この電極１ａは、蛍光管１に所定の駆動電圧を供給するためのリード線（図示せず）に半田付け等により接続され、蛍光管１を点灯させるために必要な電圧が印加される。蛍光管１のうち、光源として発光する領域１ｂ（以下、有効発光領域１ｂという）は両端の電極１ａ，１ａに挟まれた中央部分（ガラス管の部分）であり、両端の電極１ａ，１ａ自体は発光しない。その結果、有効発光領域１ｂは蛍光管１の全体の長さに比べて短くなっている。
【０００５】
導光板２は、透明樹脂を長方形の板状に成型したものであり、四周側面と上面と下面とを備える。導光板２の一つの側面２ａ（以下、光源側側面２ａ）には蛍光管１が近接して配されており、光源側側面２ａから入光した蛍光管１の光は、導光板２内を導光し、上面２ｂから出光する。上面２ｂに対向する下面には微細な光線散乱パターンが形成されているものもある。図１４の蛍光管１は、導光板２の四周側面のうち一つの側面２ａに沿って配されているが、導光板２の対向する２つの側面に沿って配されるものや、円筒形状の蛍光管を屈曲させたＬ字型の蛍光管１が導光板２の隣り合う２つの側面に沿って配されるもの（「Ｌ字型の蛍光放電管」と呼ばれる）等があり、いずれも円筒形状の蛍光管１の両端には電極１ａ，１ａが設けられている。
【０００６】
上記照明装置ＵＴは、照明装置ＵＴの照射面側（図面上は上方）に液晶表示パネルＰが配され、金属フレーム７が取り付けられて液晶表示装置ＬＣＤとなる（図１６）。蛍光管１から発光された光は、リフレクタ５により集光されて導光板２の光源側側面２ａから入射し、導光板２内を導光しながら導光板２の上面２ｂから出射し、光補正シート３により光が補正されて液晶表示パネルＰの背面全体を照射し、液晶表示パネルＰの表示面に映し出された文字や映像が可視状態となる。
【０００７】
【発明が解決しようとする課題】
しかしながら、従来の照明装置ＵＴでは、図１７に示すように、導光板２の光源側側面２ａの両端部には蛍光管１の電極１ａ，１ａが配されている。このため、光源側側面２ａの両端部（電極１ａ，１ａ側）からは光が入射する量が少なく、導光板２において蛍光管１の電極１ａ，１ａ側の２つの角部Ｘ，Ｘ（つまり、光源側側面２ａと隣接する他の側面とから形成される２つの角部）が暗くなり、導光板２の上面２ｂから出射される光の輝度がこの角部Ｘ，Ｘで低くなっていた。この角部Ｘ，Ｘの輝度が低くなることにより、導光板２の上面２ｂ全体として輝度の均一性が損なわれるという問題が生じていた。この角部Ｘ，Ｘの暗くなる部分（以下、暗部という）と他の明るい部分（以下、明部という）との境界は明確に現れるものではないが、全体としては有効発光領域１ｂの両端から外側に広がるように斜めになっていることが認められる。かかる問題は、Ｌ字型の蛍光管１では導光板２の上面２ｂの対角線上の角部に発生し、導光板２の対向する２つの側面に沿って二本の蛍光管１が配される場合は導光板２の上面２ｂのすべての角部に発生していた。
【０００８】
かかる問題を改善するために、蛍光管１の有効発光領域１ｂを導光板２の光源側側面２ａの両端部にまで及ぶように拡大すると、導光板２に対して蛍光管１の電極１ａ，１ａが突き出る構成になり（光源１の全長が長くなり）、照明装置ＵＴの全体の寸法が拡大され、液晶表示装置ＬＣＤに要求されるいわゆる狭額縁化に反する。
【０００９】
そこで、本発明は上記従来の問題点を解決するものであり、導光板の光源側側面の端部に蛍光管の電極が配されても、光源の電極に近接する導光板の角部が暗くならず、導光板の上面全体における輝度の均一化を達成することができる照明装置、及びその照明装置を使用することにより狭額縁化を達成しつつも輝度が均一で表示品質の高い液晶表示装置を提案することを目的とする。
【００１０】
【課題を解決するための手段】
本発明の請求項１記載の照明装置は、両端に電極を有する光源と、四周側面のうち光源が近接して配される光源側側面から光を入射し四角形状の上面から光を出射する導光板とを備え、導光板には、光源の電極に近接する角部の所定領域を切欠いた切欠き部が設けられていることを特徴とする。
【００１１】
この発明によれば、導光板の角部に設けられた切欠き部により、光源から斜めに到達した光が散乱されるため、この角部における輝度を上昇させることができる。したがって、光源の電極に近接する角部のみが暗くなるという問題が解消され、導光板の上面全体として輝度の均一化が図られる。
【００１２】
本発明の請求項２記載の照明装置は、前記請求項１記載の照明装置を前提として、前記切欠き部は、光源側側面に垂直な面と光源側側面に平行な面とにより一つのＬ字形状に形成されていることを特徴とする。
【００１３】
この発明によれば、切欠き部は２つの面によりＬ字形状に形成されているため、切欠き部を簡単に形成しつつも、導光板の上面全体における輝度の均一化を図ることができる。
【００１４】
本発明の請求項３記載の照明装置は、前記請求項１記載の照明装置を前提として、前記切欠き部は、光源側側面に垂直な面と光源側側面に平行な面とが繰り返して隣り合うことにより階段形状に形成されていることを特徴とする。
【００１５】
暗部と明部との境界は導光板の上面側から見るとほぼ斜めに現れるが、この発明によれば、切欠き部は階段形状に形成されているため、この境界に沿うように斜めに切欠き部を設けることができる。したがって、過不足の少ない範囲で輝度を上昇させ、導光板の上面全体における輝度の均一化を効果的に図ることができる。
【００１６】
本発明の請求項４記載の照明装置は、前記請求項１記載の照明装置を前提として、前記切欠き部は、光源側側面に垂直な面と、その面に対して４５度以下の角をなす面とが繰り返して隣り合うことにより複数の尖頭形状に形成されていることを特徴とする。
【００１７】
この発明によれば、複数の尖頭形状に形成された切欠き部により光が散乱されるとともに、導光板に入射した光源からの光を電極側に近づくように導くことができるため、導光板の上面全体における輝度の均一化をさらに効果的に図ることができる。
【００１８】
本発明の請求項５記載の照明装置は、前記請求項１乃至請求項４記載の照明装置を前提として、前記切欠き部を形成する各面には光を散乱させる光散乱手段が設けられていることを特徴とする。
【００１９】
この発明によれば、光源から斜めに到達する光を切欠き部全体で散乱させるだけでなく、切欠き部を形成する各面に設けられた光散乱手段により、多様な方向から到達する光をも散乱させて有効に利用することができるため、導光板の上面全体における輝度の均一化をより一層効果的に図ることができる。
【００２０】
請求項６記載の液晶表示装置は、前記請求項１乃至請求項５記載の照明装置と、その照明装置の照射面側に一対の基板の間に液晶が挟持された液晶表示パネルが配されていることを特徴とする。
【００２１】
この発明によれば、光源の電極を導光板の光源側側面の端部に配することで狭額縁化を達成しつつも、導光板の切欠き部により輝度の均一化が図られるので光源の電極側の輝度ムラを防止することができ、液晶表示パネルの表示品質を高めることができる。
【００２２】
【発明の実施の形態】
以下、本発明の一実施の形態を図面に基づき詳細に説明する。
【００２３】
（第１の実施の形態）本実施の形態の照明装置ＵＴ１は、図１，図４，図７に示すように、透過型の液晶表示パネルをその裏面から照射するもので、バックライト装置とも呼ばれる。図１３は、上記実施の形態の照明装置ＵＴ１を備える液晶表示装置ＬＣＤ１の断面図である。この照明装置ＵＴ１は、光源１と、光源１に近接して配置され光源１からの光を導光させる導光板２と、導光板２の裏面に沿うように配され光源１からの光を導光板２に向かって反射させる反射シート４と、光源１を内包し光源１からの光を導光板２に向かって反射させるリフレクタ（図１３中の符号５参照）と、導光板２の上に配され導光板から出射される光を補正する拡散シートやプリズムシート等の光補正シートを備え（図１３中の符号３参照）、以上の部材は樹脂製や金属製の外枠等（図１３中の符号６参照）によって保持される構成となっている。
【００２４】
光源１は、円筒形状（棒形状）の蛍光管１であり、両端に電極１ａ，１ａを備える。蛍光管１のうち、発光する領域１ｂ（以下、有効発光領域１ｂという）は両端の電極１ａ，１ａに挟まれた中央部分であり、両端の電極１ａ，１ａ自体は発光しない。その結果、有効発光領域１ｂは蛍光管１の全体の長さに比べて短くなっている。光源１は、冷陰極蛍光管でも熱陰極蛍光管でもよい。
【００２５】
導光板２は、ポリメチルメタクリレート（ＰＭＭＡ）樹脂を長方形の板状に成型したものであり、四周側面と長方形状の上面と下面を有する。四周側面のうち一つの側面２ａ（以下、光源側側面２ａという）には、蛍光管１が近接して沿うように配されており、光源側側面２ａから蛍光管１の光を入光している。入光面２ａから入光した光は、導光板２内を導光し上面２ｂから出光する。蛍光管１は、導光板２から電極１ａ，１ａが突き出ないように、導光板２の光源側側面２ａの両端に電極１ａ，１ａが位置するように配されている。この導光板２には、蛍光管１の電極１ａ，１ａに近接する２つの角部Ｘ，Ｘ（つまり、入光面２ａと隣接する他の側面２ｃ，２ｃとから形成される２つの角部Ｘ，Ｘ）の所定領域を切欠いた切欠き部Ａが設けられている。切欠き部Ａは、様々な形状に形成される。以下に、切欠き部Ａの実施例を説明する。
【００２６】
（第１の実施例）図１は第１の実施例の切欠き部Ａ１を設けた場合の照明装置ＵＴ１の斜視図であり、図２はその平面図であり、図３は切欠き部Ａ１の拡大平面図である。切欠き部Ａ１は、光源側側面２ａに垂直な面Ａ１ａと光源側側面２ａに平行な面Ａ１ｂとによりＬ字形状に形成されている。Ｌ字形状の切欠き部Ａ１には蛍光管１からの光Ｌ１が斜めに到達するが、この光Ｌ１は切欠き部Ａ１により散乱されるため、角部Ｘ，Ｘにおいて輝度が上昇する。したがって、蛍光管１の電極１ａに近接する角部Ｘ，Ｘのみが暗くなるという問題が解消され、導光板２の上面２ｂ全体における輝度の均一化を図ることができる。また、切欠き部Ａ１，Ａ１は導光板２の角部Ｘ，Ｘの所定領域をＬ字形状に切欠くだけで簡単に形成できる。
【００２７】
（第２の実施例）図４は第２の実施例の切欠き部Ａ２を設けた場合の照明装置ＵＴ１の斜視図であり、図５はその平面図であり、図６は切欠き部Ａ２の拡大平面図である。切欠き部Ａ２は、光源側側面２ａに垂直な面Ａ２ａと光源側側面２ａに平行な面Ａ２ｂとが繰り返して隣り合うことにより階段状に形成されている。角部Ｘ，Ｘにおいて暗部と明部との境界はほぼ斜めになっているが（図１７参照）、切欠き部Ａ２を階段形状にすることにより、この境界に沿って切欠き部Ａ２を設けることができるため、過不足の少ない範囲で輝度を上昇させることができる。
【００２８】
（第３の実施例）図７は第３の実施例の切欠き部Ａ３を設けた場合の照明装置ＵＴ１の斜視図であり、図８はその平面図であり、図９は切欠き部Ａ３の拡大平面図である。切欠き部Ａ３は、光源側側面２ａに垂直な面Ａ３ａと、その面Ａ３ａに対して４５度以下の角αをなす面Ａ３ｂとが繰り返して隣り合うことにより複数の尖頭形状に形成されている。暗部は導光板２の上面２ｂ側から見ると三角形の領域（図１７参照）に生じるため、切欠き部Ａ３は暗部の領域に合わせて形成されており、光源側側面２ａと隣り合う他の側面２ｃ（図９中右側の側面）に近づくほど切欠きが大きくなっている。切欠き部Ａ３を形成する面のうち最も他の側面２ｃの側に形成されている面Ａ３ｃは、光の進路を変えることによって得られる効果が少ないため光源側側面２ａに平行になっているが、点線に示すように光源側側面２ａに垂直な面Ａ３ａに対して４５度以下の角αにしても良い。凹凸形状の切欠き部Ａ３を形成する複数（本実施例では６つ）の面Ａ３ａ，Ａ３ｂ…Ａ３ａ及びＡ３ｃにより光が散乱するため、角部Ｘ，Ｘにおいて輝度が上昇し、導光板の上面全体における輝度の均一化を効果的に図ることができる。また、従来の導光板２では角部Ｘ，Ｘでは蛍光管１からの光が斜めに直進していたが（図９中Ｌ２）、本実施例では切欠き部Ａ３により光を屈折させ、電極１ａ，１ａ側に近づくように導くことができる（図９中Ｌ３）。したがって、本実施例によれば、切欠き部Ａ３により光を拡散させるだけでなく、光の進路を電極１ａ，１ａ側に近づくように導くことができるため、導光板２の上面２ｂ全体における輝度の均一化を効果的に図ることができる。なお、本発明は、導光板２の材料の屈折率が高くなるにしたがって光を電極１ａ，１ａ側に導く効果が大きく、詳しくは、屈折率が１．３以上１．７以下の場合にさらに効果的に光を電極１ａ，１ａ側に導くことができるが、導光板２の材料として多用されているポリカーボネート（ＰＣ）やポリエチレンテレフタレート（ＰＥＴ）の屈折率は１．３以上１．７以下であるため、本発明は多くの導光板２において大きな効果を発揮する。
【００２９】
本発明の照明装置は、切欠き部Ａが上記第１乃至第３の実施例の形状に限るものではなく、導光板２の角部Ｘ，Ｘの暗部の領域や暗さに合わせて切欠き部Ａを設ける領域や形状を調節することも可能である。たとえば、第１の実施例の切欠き部Ａ１の大きさを大きくしたり、第２の実施例の切欠き部Ａ２を構成する面Ａ２ａ，Ａ２ｂや第３の実施例の切欠き部Ａ３を構成する面Ａ３ａ，Ａ３ｂの数を増減させることは実施に応じて任意である。また、図１０（ａ）のように、暗部と明部との境界に合わせて斜めの直線形状に切欠き部を設けたり、図１０（ｂ）のように切欠き部を形成する面を曲面にすることも実施に応じて任意である。
【００３０】
（第２の実施の形態）図１１は、第２の実施の形態の照明装置ＵＴ２の切欠き部Ａ４の拡大図である。導光板２の切欠き部Ａ４は、上記第１の実施例の切欠き部Ａ１とほぼ同一であるが、切欠き部Ａ４を形成する各面Ａ４ａ，Ａ４ｂには出光する光を散乱させる光散乱手段Ｂが設けられている。光散乱手段Ｂは、切欠き部Ａ４の各面Ａ４ａ，Ａ４ｂに微小な凹凸を直接形成することにより設けてもよいし、微細な凹凸を形成した光拡散シートを切欠き部４Ａの各面Ａ４ａ，Ａ４ｂに張り付けることにより設けてもよい。例えば、ポリエチレンテレフタレート（ＰＥＴ）やポリプロピレン（ＰＰ）等のベースフィルムに微細なアクリル粒を接着したり、ベースフィルムの表面をエンボス加工等を施すことにより微細な凹凸を形成し、このベースフィルムを切欠き部４Ａの各面Ａ４ａ，Ａ４ｂに張り付けることにより設けられる。これにより、蛍光管１から斜めに到達する光Ｌ１を切欠き部Ａ４全体で散乱させるだけでなく、多様な方向から到達する光Ｌ４をも光拡散手段Ｂにより散乱させることができるため、導光板の上面全体における輝度の均一化をさらに効果的に図ることができる。なお、第２の実施例及び第３の実施例においても切欠き部の各面に光散乱手段Ｂを設けることで、さらに効果的に輝度の均一化を図ることができる。
【００３１】
（応用例）本発明は、上記蛍光管１の形状に限らず、その他の形状の蛍光管が配される場合にも適用可能である。図１２は、上記実施の形態の応用例としてＬ字型蛍光管１を備える照明装置ＵＴ３を示す平面図である。蛍光管１は円筒形状の蛍光管をＬ字状に屈曲させたＬ字型蛍光管１であり、両端に電極１ａ，１ａを備える。かかるＬ字型蛍光管１は導光板２の四周側面のうち隣り合う２つの側面に沿って配されており、導光板２の対角線上の２つの角部Ｘ２，Ｘ２に蛍光管１の電極１ａ，１ａが近接している。この２つの角部Ｘ２，Ｘ２の所定領域には切欠き部Ａ（図１２では第１の実施例の切欠き部Ａ１）が設けられている。これにより、導光板２の電極１ａ，１ａが近接する２つの角部Ｘ２，Ｘ２の輝度を補って上面２ｂ全体の輝度の均一化を図ることができる。その他の例として、蛍光管１が導光板２の四周側面のうち対向する２つの側面に沿って蛍光管１が配される場合は、導光板２の４つの角部に蛍光管１の電極１ａが近接して配されるため、この４つの角部の所定領域に切欠き部Ａを設ける。
【００３２】
（液晶表示装置への適用）次に、本実施の形態の第１の実施例の照明装置ＵＴ１を備える液晶表示装置ＬＣＤ１について説明する。
【００３３】
図１３は、第１の実施例の照明装置ＵＴ１を備える液晶表示装置の断面図である。照明装置ＵＴ１の照射面側（上方）には、液晶表示パネルＰが配され、金属フレーム７が取り付けられて液晶表示装置ＬＣＤ１となる。液晶表示パネルＰは、文字や映像を表示するもので、表示用電極が敷設された一対の透明基板を適宜な間隔で対峙させ、その間隔に液晶材料を注入し、前記透明基板の周辺をシール材で封止して構成される。この液晶表示パネルＰの周囲には、液晶表示パネルＰに画像等を表示させるための複数の駆動用回路と、この駆動用回路を実装した基板などが配される。従来、蛍光管１の電極１ａにより角部が暗くなるのを防止するためには、蛍光管１の有効発光領域１ｂを導光板２の光源側側面２ａの両端にまで及ぶ長さにすることで対応することが考えられたが、導光板２に対し蛍光管１の電極１ａ，１ａが突き出る構成になり、液晶表示装置ＬＣＤ１の額縁が広くなる問題を有していた。本発明によれば、導光板２の切欠き部Ａによって輝度の均一化を図ることで、蛍光管１の両端の電極１ａ，１ａを導光板２の光源側側面２ａの両端に配して液晶表示装置の狭額縁化を達成しつつも、切欠き部Ａにより光を散乱させて液晶表示パネルの輝度ムラを防止できる。
【００３４】
【発明の効果】
従来は、蛍光管の電極によって導光板の角部が暗くなっていたが、本発明の照明装置によれば、この角部に切欠き部を設けることによって、この角部の輝度を上昇させることができる。したがって、導光板の上面全体として輝度の均一化を図ることができる。また、本発明の照明装置を使用した液晶表示装置によれば、蛍光管の両端の電極を導光板の光源側側面の両端に配することで液晶表示装置の狭額縁化を達成しつつも、導光板の切欠き部によって輝度の均一化を図ることで、液晶表示パネルの輝度ムラを防止し、高品質な表示が得られる。
【００３５】
【図面の簡単な説明】
【図１】  第１の実施例の切欠き部を設けた場合の照明装置の斜視図。
【図２】  上記実施例の照明装置の平面図。
【図３】  上記実施例の切欠き部の拡大平面図。
【図４】  第２の実施例の切欠き部を設けた場合の照明装置の斜視図。
【図５】  上記実施例の照明装置の平面図。
【図６】  上記実施例の切欠き部の拡大平面図。
【図７】  第３の実施例の切欠き部を設けた場合の照明装置の斜視図。
【図８】  上記実施例の照明装置の平面図。
【図９】  上記実施例の切欠き部の拡大平面図。
【図１０】  （ａ）は切欠き部が斜めの直線形状の導光板を示す図であり、（ｂ）は切欠き部が曲面形状の導光板を示す図である。
【図１１】  第２の実施の形態の照明装置の切欠き部の拡大図。
【図１２】  上記実施の形態の応用例の照明装置を示す平面図。
【図１３】  上記実施の形態の照明装置を備える液晶表示装置の断面図である。
【図１４】  従来のエッジライトタイプの照明装置の斜視図である。
【図１５】  従来のエッジライトタイプの照明装置の断面図である。
【図１６】  従来の照明装置を使用した液晶表示装置である。
【図１７】  従来の照明装置の光源と導光板を示す図である。
【符号の説明】
ＵＴ，ＵＴ１，ＵＴ２，ＵＴ３    照明装置
ＬＣＤ，ＬＣＤ１    液晶表示装置
１          光源（蛍光管）
１ａ        光源の電極
１ｂ        光源の有効発光領域
２          導光板
２ａ        導光板の光源側側面
２ｂ        導光板の上面
３          光補正シート
４          反射シート
５          リフレクタ
６          外枠など
７          金属フレーム
Ｘ          導光板の出光面の角部のうち光源の電極に近接する角部
Ｘ１，Ｘ２  拡散シートの拡散面の角部
Ａ，Ａ１，Ａ２，Ａ３，Ａ４  切欠き部
Ｌ１，Ｌ２，Ｌ３  光
Ｂ                光散乱手段
【図１】
2005222698.tif 000003
【図２】
2005222698.tif 000004
【図３】
2005222698.tif 000005
【図４】
2005222698.tif 000006
【図５】
2005222698.tif 000007
【図６】
2005222698.tif 000008
【図７】
2005222698.tif 000009
【図８】
2005222698.tif 000010
【図９】
2005222698.tif 000011
【図１０】
2005222698.tif 000012
【図１１】
2005222698.tif 000013
【図１２】
2005222698.tif 000014
【図１３】
2005222698.tif 000015
【図１４】
2005222698.tif 000016
【図１５】
2005222698.tif 000017
【図１６】
2005222698.tif 000018
【図１７】
2005222698.tif 000019